(57)【要約】【課題】  従来のＬ釘、セブン釘では、打込み頭部に対する荷重が、その釘芯に伝達されず、力伝作用にズレが発生する。また釘打ち時に、釘を正しく支持しないと、釘を正しい位置に打込めないことで、打込みが困難であり、曲がり、破断等の不具合が発生する。さらに従来の釘では、係止め部が狭く、瓦表面の近傍まで打込む構成であるので、瓦と釘との干渉による瓦の破損の危険性があり、打込みには細心の注意を要する。【構成】  本発明は、広小舞と、軒先瓦に設けられる自由端を備えた左右板部と、左右板部の折曲げ部に設けた釘孔と、両自由端に設けた先端部とで構成した側面視して略鉤形の止め具で、止め具の一方自由端は、屋根の広小舞に衝止し、他方自由端は、軒先瓦に係止する構造であり、この衝止及び係止と釘の打込みを介して軒先瓦を緊結する。【選択図】    図１
2005076218.tif 000002
【特許請求の範囲】
【請求項１】
軒先の広小舞又は屋根地、瓦座、他の屋根基材等の取付け部材と、軒先瓦、平板瓦等の瓦との間に設けられる両自由端を備えた左右板部と、この左右板部の折曲げ部に設けた釘孔と、前記両自由端に設けた先端部とで構成した側面視して略鉤形の止め具であって、
この止め具の一方自由端は、屋根の広小舞又は屋根地、瓦座、他の屋根基材等の取付け部材に設置するとともに、その他方自由端は、前記軒先瓦、平板瓦等の瓦に係止する構造であり、この止め具の前記設置と係止とを、当該止め具の釘孔に挿設した釘の打込みで達成した軒先瓦等の瓦用の止め具。
【請求項２】
請求項１に記載した両自由端の一方の自由端は、楔形状の先端部を設ける構成とした軒先瓦等の瓦用の止め具。
【請求項３】
請求項１に記載した左右板部の折曲げ部に設けた釘孔は、両自由端側に向かって長孔形態であり、この長孔形態の釘孔に釘を挿入し、この釘を基点として前記止め具を、可動可能に支持した軒先瓦等の瓦用の止め具。
【請求項４】
請求項１に記載した他方の板部に、膨出部を形成した軒先瓦等の瓦用の止め具。
【請求項５】
請求項１に記載した一方の板部に、対の凹凸曲げ部を形成し、この凹凸曲げ部で、上記釘を抱持した軒先瓦等の瓦用の止め具。
【発明の詳細な説明】
【技術分野】
【０００１】
本発明は、軒先瓦、平板瓦等の瓦の止め具に関し、詳しくは、軒先の広小舞又は屋根地、瓦座、他の屋根基材等の取付け部材と、軒先瓦、平板瓦等の瓦との間に設けられて、この広小舞に打込まれた釘によって、この広小舞と、軒先瓦を緊結する構造の軒先瓦用の止め具、又は屋根地、瓦座、他の屋根基材等に打込まれた釘によって、この屋根地、瓦座、他の屋根基材等の取付け部材と、平板瓦等の瓦を緊結する止め具等に関する。
【背景技術】
【０００２】
従来、軒先瓦の緊結は、通常、尻側の略中央部に打込んだ釘等による方法がある。この方法は、釘を横棧及び／又は屋根地に打込み、当該軒先瓦の尻側の緊結を介して、この軒先瓦を緊結(固定)する。従って、この軒先瓦の尻側の緊結が、直接、その頭側の緊結に作用することは少なく、当該軒先瓦の耐震、耐風に対する要望に十分応えていないのが現況である。
【０００３】
また平板瓦等の瓦の緊結は、アンダーラップ頭側を、釘(Ｌ釘、セブン釘、又は特殊釘等)により緊結する方法である。この方法は、釘を横棧及び／又は屋根地に打込み、当該軒先瓦のアンダーラップ頭側の緊結を介して、この軒先瓦を緊結する。従って、この軒先瓦のアンダーラップ頭側の緊結で、当該瓦の耐震、耐風に対する要望に応えている。
【０００４】
しかし、前記Ｌ釘、セブン釘に関しては、打込み頭部に対する荷重が、その釘芯(杭部のセンター)に伝達されず、力伝作用にズレが発生する。また釘打ち時に、釘を正しく支持しないと、釘を正しい位置に打込めないことで、打込みが困難であり、曲がり、破断等の不具合が発生する。また従来の釘では、係止め部が狭く、瓦表面の近傍まで打込む構成であるので、瓦と釘との干渉による瓦の破損の危険性があること、又はこの打込みには細心の注意を要すること等の問題点がある。
【０００５】
その改良として、次のような文献が挙げられる。文献(１)は、特開２００１−１１５６０３の平板瓦用固定具及び平板瓦の葺設方法であり、この文献(１)に記載の固定具は、釘に外嵌筒を設け、その下方にストッパー用の鍔部を周設する構成であり、その葺設状態に於いて、上方の頭部で上方瓦を、また鍔部で下方瓦をそれぞれ緊結する構造である。またこの文献(１)に記載の請求項５には、固定具を下方瓦の釘孔に貫通させ、上方瓦を固定具の間に差込んで葺設する方法が開示されている。次に、文献(２)は、特開平１０−１６９１０５号の屋根瓦用煽止め具であり、この文献(２)には、ビス止め具と煽止め具を一組にしたもので、この煽止め具に押え部、座部と支持部をそれぞれ設けた構造であり、軒先瓦の端部を押え部で押え、座部を釘で緊結することを特徴とする。
【０００６】
【特許文献１】特開２００１−１１５６０３
【０００７】
【特許文献２】特開平１０−１６９１０５号
【発明の開示】
【発明が解決しようとする課題】
【０００８】
前記文献(１)は、特定瓦専用のＬ形釘であるので、各瓦メーカーに対応するには、複数の形態を確保する必要があり煩雑となること、余分の資材管理が必要となること等の問題点が考えられる。
【０００９】
また文献(２)は、煽止め具が押え部、座部及び支持部とで構成されているので、その方向性は一定となる。従って、打付け時に必ず一定の方向を維持することが必要となり、煽止め具を片手で保持する必要があるので手数を要すること、また、誤って支持する片手を打付ける虞があり、危険性及び怪我の発生等の弊害があること等の問題点を抱えている。また座部の挿通孔は、略環状であって、かつ釘の杭部に対して祐度が少ない構造であるので、瓦の端部の形状変化に対応できないこと、殊に、この種の軒先瓦が粘土・焼成瓦であることを考慮すると、この変化に対応できないことは、問題であると考えられる。そして、前記のような問題を抱えることは、使用を困難にするとも考えられる。
【課題を解決するための手段】
【００１０】
請求項１の発明は、屋根葺設用の瓦を、一方・他方の自由端と一方・他方の板部とで構成した止め具と、止め具を緊結する釘孔を介して確実に葺設するために、その一方の自由端を、広小舞又は屋根地、瓦座、他の屋根基材等の取付け部材に設置し、また他方の自由端を、軒先瓦、平板瓦等の瓦に係止して達成すること、またこの止め具を利用することで、軒先瓦から平板瓦等の如く、略全ての瓦に適用できる釘付き止め具を提供すること等を意図する。そして、必要により、左右板部を対称形状として、当該止め具の方向性を確保して、この一方・他方の板部は、いずれも広小舞又は屋根地、瓦座、他の屋根基材等の取付け部材に設置(喰込み、嵌入、添接、圧接、又は離設等から選択)可能とすること、また一方・他方の板部は、いずれも軒先瓦、平板瓦等の瓦に係止(係合、外嵌、圧設等)すること等を意図する。
【００１１】
請求項１は、軒先の広小舞又は屋根地、瓦座、他の屋根基材等の取付け部材と、軒先瓦、平板瓦等の瓦との間に設けられる両自由端を備えた左右板部と、この左右板部の折曲げ部に設けた釘孔と、前記両自由端に設けた先端部とで構成した側面視して略鉤形の止め具であって、
この止め具の一方自由端は、屋根の広小舞又は屋根地、瓦座、他の屋根基材等の取付け部材に設置するとともに、その他方自由端は、前記軒先瓦、平板瓦等の瓦に係止する構造であり、この止め具の前記設置と係止とを、当該止め具の釘孔に挿設した釘の打込みで達成した軒先瓦等の瓦用の止め具である。
【００１２】
請求項２の発明は、請求項１の目的を達成すること、又は止め具の一方の自由端の楔形状の先端部を介して、この一方の自由端を、軒先の広小舞又は瓦座、他の屋根基材等の取付け部材に喰込み可能とし、より強固な緊結を図ること等を意図する。
【００１３】
請求項２は、請求項１に記載した両自由端の一方の自由端は、楔形状の先端部を設ける構成とした軒先瓦等の瓦用の止め具である。
【００１４】
請求項３の発明は、請求項１の目的を達成すること、又は止め具に自由な動きを確保して、広小舞又は屋根地、瓦座、他の屋根基材等の取付け部材への設置及び／又は軒先瓦、平板瓦等の瓦への係止の容易化を図ること、軒先瓦、平板瓦等の瓦の焼成捩れ及び／又は広小舞又は屋根地、瓦座、他の屋根基材等の取付け部材の寸法、形状変形等に対応できる構造として、この軒先瓦、平板瓦等の瓦の緊締を達成すること等を意図する。
【００１５】
請求項３は、請求項１に記載した左右板部の折曲げ部に設けた釘孔は、両自由端側に向かって長孔形態であり、この長孔形態の釘孔に釘を挿入し、この釘を基点として前記止め具を、可動可能に支持した軒先瓦等の瓦用の止め具である。
【００１６】
請求項４の発明は、請求項１の目的と、又は止め具を構成する他方の板部の強度の向上と、鋼板の肉薄化、止め具の軽量化等の達成を意図する。
【００１７】
請求項４は、請求項１に記載した他方の板部に、膨出部を形成した軒先瓦等の瓦用の止め具である。
【００１８】
請求項５の発明は、請求項１の目的と、又は止め具を構成する一方の板部で、釘を確実かつ安定的に支持すること、釘打込み時に、止め具の盲動をなくすこと、また安全な打込みを確保すること等を意図する。また一方の板部の強度の向上と、鋼板の肉薄化、止め具の軽量化等の達成を意図する。
【００１９】
請求項５は、請求項１に記載した一方の板部に、対の凹凸曲げ部を形成し、この凹凸曲げ部で、上記釘を抱持した軒先瓦等の瓦用の止め具である。
【発明の効果】
【００２０】
請求項１の発明は、軒先の広小舞又は屋根地、瓦座、他の屋根基材等の取付け部材と、軒先瓦、平板瓦等の瓦との間に設けられる両自由端を備えた左右板部と、左右板部の折曲げ部に設けた釘孔と、両自由端に設けた先端部とで構成した側面視して略鉤形の止め具であって、止め具の一方自由端は、屋根の広小舞又は屋根地、瓦座、他の屋根基材等の取付け部材に設置等するとともに、他方自由端は、軒先瓦、平板瓦等の瓦に係止する構造であり、止め具の設置等(衝止と係止)を、止め具の釘孔に挿設した釘の打込みで達成した軒先瓦等の瓦用の止め具である。
【００２１】
従って、請求項１の発明は、屋根葺設用の瓦を、一方・他方の自由端と一方・他方の板部とで構成した止め具と、止め具を緊結する釘孔を介して確実に葺設するために、その一方の自由端を、広小舞又は屋根地、瓦座、他の屋根基材等の取付け部材に設置し、また他方の自由端を、軒先瓦、平板瓦等の瓦に係止して達成できること、また止め具を利用することで、軒先瓦から平板瓦等の如く、略全ての瓦に適用できる釘付き止め具を提供できること等の特徴がある。そして、必要により、左右板部を対称形状として、当該止め具の方向性を確保して、この一方・他方の板部は、いずれも広小舞又は屋根地、瓦座、他の屋根基材等の取付け部材に設置(喰込み、嵌入等)可能になること、また一方・他方の板部は、いずれも軒先瓦、平板瓦等の瓦に係止(係合、外嵌等)できること等の特徴がある。
【００２２】
請求項２の発明は、請求項１に記載した両自由端の一方の自由端は、楔形状の先端部を設ける構成とした軒先瓦等の瓦用の止め具である。
【００２３】
従って、請求項２は、請求項１の目的を達成できること、又は止め具の一方の自由端の楔形状の先端部を介して、この一方の自由端を、軒先の広小舞又は瓦座、他の屋根基材等の取付け部材に喰込み可能とし、より強固な緊結が図れること等の特徴がある。
【００２４】
請求項３の発明は、請求項１に記載した左右板部の折曲げ部に設けた釘孔は、両自由端側に向かって長孔形態であり、長孔形態の釘孔に釘を挿入し、釘を基点として止め具を、可動可能に支持した軒先瓦等の瓦用の止め具である。
【００２５】
従って、請求項３は、請求項１の目的を達成できること、又は止め具に自由な動きを確保して、広小舞又は屋根地、瓦座、他の屋根基材等取付け部材への設置及び／又は軒先瓦、平板瓦等の瓦への係止の容易化が図れること、軒先瓦、平板瓦等の瓦の焼成捩れ及び／又は広小舞又は屋根地、瓦座、他の屋根基材等取付け部材の変形等に対応できる構造として、この軒先瓦、平板瓦等の瓦の緊締が達成できること等の特徴がある。
【００２６】
請求項４の発明は、請求項１に記載した他方の板部に、膨出部を形成した軒先瓦等の瓦用の止め具である。
【００２７】
従って、請求項４は、請求項１の目的と、又は止め具を構成する他方の板部の強度の向上と、鋼板の肉薄化、止め具の軽量化等が達成できる特徴がある。
【００２８】
請求項５の発明は、請求項１に記載した一方の板部に、対の凹凸曲げ部を形成し、凹凸曲げ部で、上記釘を抱持した軒先瓦等の瓦用の止め具である。
【００２９】
従って、請求項５は、請求項１の目的と、又は止め具を構成する一方の板部で、釘を確実かつ安定的に支持できること、釘打込み時に、止め具の盲動をなくし得ること、また安全な打込みが確保できること等の特徴がある。また一方の板部の強度の向上と、鋼板の肉薄化、止め具の軽量化等が達成できる実益がある。
【発明を実施するための最良の形態】
【００３０】
以下、本発明の実施の態様(形態)を説明する。
【００３１】
１は軒先の広小舞Ａ、屋根地Ａ１、瓦座Ａ２、他の屋根基材等に設置する自由端２０を備えた一方の板部２と、軒先瓦Ｂ、瓦Ｃに係止する自由端３０を備えた他方の板部３とで構成される側面視して略鉤形の止め具である。この一方・他方の板部２、３の略中央を折曲げて折曲げ部４を形成する。この一方・他方の板部２、３の好ましい一例を説明する。：  図１〜図３の例では、一方の板部２に凸曲げ部２１ａと凹曲げ部２１ｂを形成する。この凸曲げ部２１ａと凹曲げ部２１ｂにより釘５を抱持する。この抱持は、釘５の安定的な支持と、止め具に略垂直状態に支持できること、また一方の板部２の強度の向上と、鋼板の肉薄化、止め具の軽量化等が達成できること等の特徴がある。また他方の板部３に膨出部３ａを形成する。これにより、他方の板部３の強度の向上と、鋼板の肉薄化、止め具の軽量化等が達成できること等の特徴がある。さらに前記一方の板部２には、喰込み用の楔形状の先端部２２を設ける。従って、この先端部２２は、図１０で示した如く、瓦座Ａ２、他の屋根基材等に喰込み(原則として、屋根地Ａ１への喰込みはない)、この軒先瓦Ｂの耐震、耐風等向上(緊結向上)に役立つ特徴がある。また他方の板部３の自由端３０を先端部３２とする。この先端部３２は、軒先瓦Ｂ、瓦Ｃに係止されることで、この軒先瓦Ｂ、瓦Ｃ等を緊結する。
【００３２】
：  次に図４〜図６の例では、この折曲げ部４には釘５用の釘孔５０が形成されるが、この釘孔５０は長孔形態として、止め具１を可動可能とし、略３６０°の方向性を与えることで、比較的自由な動きを付与して、例えば、次のようなことを意図する。その(イ)は当該止め具１の利用の拡充と、何れの自由端２０、３０も確実に利用できる形態とすること、その(ロ)は軒先瓦Ｂの焼成捩れ(変形、欠け等)、広小舞Ａの捩れ、建物の形態、変化等に順応できること、その(ハ)はこの軒先瓦Ｂへの緊結及び／又は釘５への係合に対して、適宜方向に移動して、ガタツキ防止に役立つこと等にある。尚、この例では、一方の板部２と、他方の板部３を逆に使用し、この他方の板部３を、広小舞Ａ等に当接し、一方の板部２を軒先瓦Ｂに係止することもあり得る。また他方の板部３の自由端３０を先端部３３とする。この先端部３３は、軒先瓦Ｂ、瓦Ｃに係止されることで、この軒先瓦Ｂ、瓦Ｃ等を緊結する。
【００３３】
：  さらに図７〜図９の例では、前記自由端２０、３０を小さい楔形状の先端部２３、３３とする。この一方の先端部２３は、広小舞Ａ、屋根地Ａ１、瓦座Ａ２、他の屋根基材(図示せず)等への圧設、喰込み等を利用して強固な係止を図る。この他方の先端部３３は、軒先瓦Ｂ等への係止、又は圧設等を利用して強固な緊結を図る。また先端部２３、３３には、略半球状の切込み２４、３４を形成し、釘５への係合、一体化等の確保を意図する。勿論、当該自由端２０、３０は、直線形態、三角形態、曲面形態、他の形態等も可能である。以上で説明した止め具１は、プレス成形で簡易に成形できること、材料の無駄も無く重宝すること、コストの低廉化に寄与できること等の特徴がある。図中２ａは一方の板部２に設けた膨出部で、この膨出部２ａの特徴は、前述の例に準ずる。尚、各例ともに、屋根地Ａ１の場合には、先端部２２、２３が衝止しないことも有り得る。また前述の例と同様に、先端部３３は、軒先瓦Ｂ、瓦Ｃに係止されることで、この軒先瓦Ｂ、瓦Ｃ等を緊結する。
【００３４】
その使用の一例を、図１０、図１１、図１５、図１６を基に説明すると、釘５を軒先瓦Ｂの端Ｂ−１に略接するように立設し、この釘５を打込み作業に掛かる。この際に、止め具１の適所を支持し、概ね一方の板部２の先端部２２(先端部２３)を、広小舞Ａの上に設ける。また他方の板部３(必要により先端部３２、３３)を軒先瓦Ｂの端Ｂ−１の上面Ｂ−２に設ける。この広小舞Ａの上に当接にする際に、望ましくは(必要により)、一方の板部２の先端部２２(２３)を、広小舞Ａの上に喰込ませて、当該止め具１の位置の決定、又は安定性等を図る(即ち、ここで止め具１の姿勢が決定される)。このように、打込み作業に掛かるときに、僅か喰込ませることで、この止め具１の位置を確定し、正確な位置への緊結ができる特徴がある。尚、他の例も同じである。そして、この操作により、止め具１の正確な位置が決定されるので、さらに釘５を打込むことで、この止め具１の一方の板部２の先端部２２(２３)が、広小舞Ａに喰込み固止される。また他方の板部３が、軒先瓦Ｂの端Ｂ−１の上面Ｂ−２に当接する(係止される)。この固止、及び当接した状態で、当該止め具１の打込みを停止する。この打込んだ止め具１を介して軒先瓦Ｂが屋根地に緊結される。尚、この構成を採用すれば、例えば、本発明で説明した軒先瓦Ｂが、仮に防災機能を有さない構造であっても、耐震、耐風等の防止に有効である。また防災機能を有する軒先瓦Ｂ等では、前記耐震、耐風等の防止の有効性は格段に上がる。尚、この止め具１を屋根地Ａ１に打付ける時には、長い釘５を使用することで、一方の板部２の先端部２２が喰込まない状態でも緊結できる(他の例も同じ)。この例において、図１５における自由端２０は、広小舞Ａに当接される。
【００３５】
その他の使用の一例を、図１２、図１３、図１７、図２０を基に説明すると、釘５を瓦Ｃのアンダーラップの端Ｃ−１に略接するように立設し、この釘５を打込み作業に掛かる。この際に、止め具１の適所を支持し、概ね一方の板部２の先端部２２(２３)を、屋根地Ａ１、他の屋根基材等の上に設置し(当接も有り得る)、また他方の板部３(必要により先端部３２、３３)を瓦Ｃの端Ｃ−１の上面Ｃ−２に設ける。その後、さらに釘５を打込んでいき、丁度、止め具１の一方の板部２の先端部２２(２３)が、屋根地Ａ１、他の屋根基材等の上に、また他方の板部３が、瓦Ｃの端Ｃ−１の上面Ｃ−２に略当接した状態で、当該止め具１の姿勢を調節する。この調節で、先端部２２(２３)の屋根地Ａ１、他の屋根基材等の上に位置し、また他方の板部３(必要により先端部３２)の瓦Ｃの端Ｃ−１の上面Ｃ−２への当接を確保する。この作業で、この止め具１の正確な位置が決定されるので、釘５を打込むことにより、止め具１が屋根地Ａ１に固止されるとともに、前記他方の板部３が瓦Ｃの端Ｃ−１の上面Ｃ−２に係合固止されて、瓦Ｃは緊結される(葺上げられる)。尚、先端部２２(２３)は、屋根地Ａ１、他の屋根基材等の上に固止されるが、原則として、先端部２２(２３)は、屋根地Ａ１から離間し、釘５が屋根地Ａ１に打込まれる構造である(瓦Ｃの例では、他の例も同じ)。この止め具１の固止を介して瓦Ｃ〜Ｅが屋根地Ａ１、他の屋根基材等に緊結される。尚、本発明で説明した瓦Ｃ等が、仮に防災機能を有さない構造であっても、耐震、耐風等の防止に有効である。また防災機能を有する瓦Ｃ等では、前記耐震、耐風等の防止の有効性は格段に上がる。
【００３６】
また他の使用の一例を、図１８、図１９を基に説明すると、釘５を軒先瓦Ｂの端面に略接するように立設し、この釘５を打込み作業に掛かる。そして、この際に、止め具１の適所を支持し、概ね一方の板部２の先端部２２(２３)を、広小舞Ａの上に、また他方の板部３(必要により先端部３２、３３)を軒先瓦Ｂの端Ｂ−１の上面Ｂ−２に設ける。その後、さらに釘５を打込んでいき、丁度、止め具１の一方の先端部２２(２３)が、広小舞Ａの上に位置する(略当接も有り得る)。また他方の板部３が、軒先瓦Ｂの端Ｂ−１の上面Ｂ−２に略当接した状態で、当該止め具１の姿勢を調節する。この調節で、一方の先端部２２(２３)の広小舞Ａ上への設置と、また他方の板部３が、軒先瓦Ｂの端Ｂ−１の上面Ｂ−２に当接する。この調節により、止め具１の正確な位置が決定されるのでさらに打込むことで、この一方の先端部２２(２３)が、広小舞Ａの上で固止され、また他方の板部３が、軒先瓦Ｂの端Ｂ−１の上面Ｂ−２に係合される。この止め具１の固止と係合を介して軒先瓦１が屋根地に緊結される。そして、記述したが、図１８の例では、止め具１の一方・他方の板部２、３の対称形態による使用の汎用性と、釘孔５によるこの止め具１の使用の利便性が確保できる。尚、軒先瓦Ｂ及び／又は関連する他の瓦が、仮に防災機能を有さない構造であっても、耐震、耐風等の防止に有効である。また防災機能を有する軒先瓦Ｂ等では、前記耐震、耐風等の防止の有効性は格段に上がる。その他は、前述の図１０、図１１等の例に準ずる。
【図面の簡単な説明】
【００３７】
【図１】止め具の第１の例を示した俯瞰図
【図２】図１の正面図
【図３】図１の平面図
【図４】止め具の第２の例を示した俯瞰図
【図５】図４の正面図
【図６】図４の平面図
【図７】止め具の第３の例を示した俯瞰図
【図８】図７の正面図
【図９】図７の平面図
【図１０】第１の例の瓦座と軒先瓦及び止め具との関係を説明する斜視図
【図１１】図１１の断面図
【図１２】第１の例を屋根地に使用する一例を示した斜視図
【図１３】図１２の平面図
【図１４】図１２の断面図
【図１５】第２の例の広小舞と軒先瓦及び止め具との関係を説明する斜視図
【図１６】図１５の断面図
【図１７】第２の例を屋根地に使用する一例を示した斜視図
【図１８】第３の例の広小舞と軒先瓦及び止め具との関係を説明する斜視図
【図１９】図１８の断面図
【図２０】第３の例を屋根地に使用する一例を示した斜視図
【符号の説明】
【００３８】
１             止め具
２             一方の板部
２ａ           膨出部
２０           自由端
２１ａ         凸曲げ部
２１ｂ         凹曲げ部
２２           先端部
２３           先端部
２４           切込み
３             他方の板部
３ａ           膨出部
３０           自由端
３２           先端部
３３           先端部
３４           切込み
４             折曲げ部
５             釘
５０           釘孔
Ａ             広小舞
Ａ１           屋根地
Ａ２           瓦座
Ｂ             軒先瓦
Ｂ−１         端
Ｂ−２         上面
Ｃ             瓦
Ｃ−１         端
Ｃ−２         上面
Ｄ             瓦
Ｅ             瓦
【図１】
2005076218.tif 000003
【図２】
2005076218.tif 000004
【図３】
2005076218.tif 000005
【図４】
2005076218.tif 000006
【図５】
2005076218.tif 000007
【図６】
2005076218.tif 000008
【図７】
2005076218.tif 000009
【図８】
2005076218.tif 000010
【図９】
2005076218.tif 000011
【図１０】
2005076218.tif 000012
【図１１】
2005076218.tif 000013
【図１２】
2005076218.tif 000014
【図１３】
2005076218.tif 000015
【図１４】
2005076218.tif 000016
【図１５】
2005076218.tif 000017
【図１６】
2005076218.tif 000018
【図１７】
2005076218.tif 000019
【図１８】
2005076218.tif 000020
【図１９】
2005076218.tif 000021
【図２０】
2005076218.tif 000022